(57)【要約】【課題】ボルト、ナット、ビス等の固定部材が作業者の指先から離れても、固定部材の自然落下を回避することができ、作業者が安心して作業に集中することに資する落下防止用カバーを提供する。【解決手段】落下防止用カバー１は、作業者の腕を挿通可能な手元部２と、手元部２よりも径大で作業者の作業空間を確保可能な手先部３と、で構成される。手先部３は、補強部材６ａ，６ｂ，６ｃが径側面に沿って複数離間して配置されている。手元部２は、作業者の腕を被覆する内面の被覆部２１と、作業者の腕を固定する装着部材４が取り付けられた外面の固定部２２と、が重畳して密着されている。補強部材６ｂと６ｃとの間にはマチ部７が形成されており、作業者の指先から誤って固定部材が落下しても、マチ部７によって固定部材を落下させることなく確実にキャッチすることができる。【選択図】図１
0003214704.tif 000002
【実用新案登録請求の範囲】
【請求項１】
作業者の腕を挿通可能な手元部と、前記手元部よりも径大で作業者の作業空間を確保可能な手先部と、で構成された落下防止用カバーにおいて、
前記手先部は、補強部材が径側面に沿って複数離間して配置されていることを特徴とする落下防止用カバー。
【請求項２】
前記補強部材の間には、少なくとも１つのマチ部が形成されていることを特徴とする請求項１記載の落下防止用カバー。
【請求項３】
前記補強部材は、前記手元部と前記手先部との繋ぎ部に配置されていることを特徴とする請求項１又は２記載の落下防止用カバー。
【請求項４】
前記手先部は、透明又は半透明な素材又は材質であることを特徴とする請求項１から３のいずれか記載の落下防止用カバー。
【請求項５】
作業者の腕を挿通可能な手元部と、前記手元部よりも径大で作業者の作業空間を確保可能な手先部と、で構成された落下防止用カバーにおいて、
前記手元部は、作業者の腕を被覆する内面の被覆部と、作業者の腕を固定する装着部材が取り付けられた外面の固定部と、が重畳していることを特徴とする落下防止用カバー。
【請求項６】
前記被覆部に対して前記固定部は弧小であり、
前記被覆部と前記固定部との重畳領域と、前記被覆部が露出した露出領域と、が形成されていることを特徴とする請求項５記載の落下防止用カバー。
【請求項７】
前記装着部材は、
円環状のベルトと、
前記ベルトの一端に設けられ、前記ベルトを挿通する挿通孔が形成されたバックルと、
を有し、
前記ベルトの他端は、前記挿通孔からの着脱を防止する着脱防止部が取り付けられ、
前記ベルトが前記バックルに挿通された状態であることを特徴とする請求項５又は６記載の落下防止用カバー。
【請求項８】
前記手元部は、メッシュ構造が形成された素材又は材質であることを特徴とする請求項５から７のいずれか記載の落下防止用カバー。
【考案の詳細な説明】
【技術分野】
【０００１】
本考案は、作業現場における部材や工具などの落下を防止する落下防止用カバーに関する。
【背景技術】
【０００２】
高速道路、トンネル、電柱などでボルト、ナット、ビス等の固定部材を着脱するような高所での作業現場においては、固定部材の落下防止対策が重要となる。すなわち、固定部材の落下物は、通行車両が踏めばパンクしたり、通行車両のフロントガラスに落下すればガラスが破損して視界がなくなったり、重大な事故を引き起こす可能性がある。殊に、近年は防災・減災等対策のインフラ工事が増大しており、例えば、高速道路における落下物の発見件数は１日当たり３６０件とか４分に１件とか言われており、全てが工事関係による落下物ではないにせよ、工事関係者自らが落下物対策を行う必要がある。
【０００３】
ここで、レンチ、ドライバー等の工具には、落下防止用のコード等を取り付けて落下防止対策を行っている例がある。一方で、落下の可能性が十分に危惧される固定部材について、例えば、特許文献１の落下防止具は、磁石モジュールを取り付けることによって強磁性体物品を吸着するものである。
【先行技術文献】
【特許文献】
【０００４】
【特許文献１】特開２０１６−１８３４３７号公報
【考案の概要】
【考案が解決しようとする課題】
【０００５】
特許文献１に開示されるように、手袋型の落下防止具によって固定部材の把持を補助するものは存在するが、固定部材の把持を補助する役割に留まり、万が一固定部材が手元から離れた場合の自然落下を回避することはできない。
【０００６】
特に、落下するかしないかの判断は作業者の指先の感覚によるところが大きく、素手又は薄手の手袋などによって作業者の指先の感覚を鈍らせないことも重要である。特許文献１の落下防止具は、強磁性体物品には有用である反面、錆びた固定部材は磁性効果が失われていることもあるため、うっかり固定部材を落下させてしまう危険性がある。
【０００７】
また、作業者は固定部材の自然落下を発生させないよう慎重に作業を行う反面、慎重になるほど作業効率が悪くなってしまう。すなわち、落下物の発生は、前述した重大な事故に繋がることになり、結果的に工事の安全性や信頼性が問われることから、作業者の精神的負担は大きくなり、作業に集中できなくなる。
【０００８】
そこで、本考案は、ボルト、ナット、ビス等の固定部材が作業者の指先から離れても、固定部材の自然落下を回避することができ、作業者が安心して作業に集中することに資する落下防止用カバーを提供する。
【課題を解決するための手段】
【０００９】
本考案は、上記課題を解決するために、作業者の腕を挿通可能な手元部と、手元部よりも径大で作業者の作業空間を確保可能な手先部と、で構成され、手先部は、補強部材が径側面に沿って複数離間して配置されおり、手元部は、作業者の腕を被覆する内面の被覆部と、作業者の腕を固定する装着部材が取り付けられた外面の固定部と、が重畳して密着されている落下防止用カバーを提供する。
【００１０】
より具体的には、以下のものを提供する。
【００１１】
（１）  作業者の腕を挿通可能な手元部と、前記手元部よりも径大で作業者の作業空間を確保可能な手先部と、で構成された落下防止用カバーにおいて、前記手先部は、補強部材が径側面に沿って複数離間して配置されていることを特徴とする落下防止用カバー。
【００１２】
本考案によれば、手先部の補強部材が径側面に沿って複数離間して配置されていることから、径大の手先部の強度を高めるとともに、手先部における作業領域を確保することができ、作業者が安心して作業に集中できる。また、手先部内にボルト、ナット、ビス等の固定部材が落下しても、複数離間して配置された補強部材によって手先部が固定部材の自重により変形することを防ぐことができるとともに、その自重により手元部に負担がかかるのを軽減することができることから、作業者の負担増加を回避することに資する。さらに、作業者の手先を覆う手先部によって、雨・雪・日光等の影響を受けることが少なくなり、屋外作業や夏場での使用に適している。
【００１３】
（２）  前記補強部材の間には、少なくとも１つのマチ部が形成されていることを特徴とする落下防止用カバー。
【００１４】
本考案によれば、補強部材の間に少なくとも１つのマチ部が形成されていることから、落下した固定部材をマチ部で確実に受け取ることができるとともに、マチ部で受け取った固定部材を更に地面に落下させるような事態を軽減することができる。また、マチ部の両端には補強部材が配置されていることから、受け取った固定部材の自重によるマチ部の変形を防ぐことができる。
【００１５】
（３）  前記補強部材は、前記手元部と前記手先部との繋ぎ部に配置されていることを特徴とする落下防止用カバー。
【００１６】
本考案によれば、手元部と手先部との繋ぎ部に補強部材が配置されていることから、作業者の手元を補強部材によって固定した上で手先を自在に動かすことが容易にでき、作業性の向上に資する。また、手先部の補強部材と繋ぎ部の補強部材とは、形状記憶効果を有している。
【００１７】
（４）  前記手先部は、透明又は半透明な素材又は材質であることを特徴とする落下防止用カバー。
【００１８】
本考案によれば、手先部は透明又は半透明な素材又は材質であることから、手先の視界が良好な作業状態を提供することができ、作業者にとっても安心して作業をすることができる。
【００１９】
（５）  作業者の腕を挿通可能な手元部と、前記手元部よりも径大で作業者の作業空間を確保可能な手先部と、で構成された落下防止用カバーにおいて、前記手元部は、作業者の腕を被覆する内面の被覆部と、作業者の腕を固定する装着部材が取り付けられた外面の固定部と、が重畳していることを特徴とする落下防止用カバー。
【００２０】
本考案によれば、手元部は、内面の被覆部と外面の固定部とが重畳して二重構造になっていることから、手元部の安定感と強度を高めることに資する。
【００２１】
（６）  前記被覆部に対して前記固定部は弧小であり、前記被覆部と前記固定部との重畳領域と、前記被覆部が露出した露出領域と、が形成されていることを特徴とする落下防止用カバー。
【００２２】
本考案によれば、被覆部と固定部との重畳領域と、被覆部が露出した露出領域と、が形成されていることから、重畳領域においては密着した状態で装着することができる。
【００２３】
（７）  前記装着部材は、円環状のベルトと、前記ベルトの一端に設けられ、前記ベルトを挿通する挿通孔が形成されたバックルと、を有し、前記ベルトの他端は、前記挿通孔からの着脱を防止する着脱防止部が取り付けられ、前記ベルトが前記バックルに挿通された状態であることを特徴とする落下防止用カバー。
【００２４】
本考案によれば、予めバックルにベルトを通した状態となっていることから、片手でワンタッチで装着することができる。
【００２５】
（８）  前記手元部は、メッシュ構造が形成された素材又は材質であることを特徴とする落下防止用カバー。
【００２６】
本考案によれば、手元部の素材又は材質がメッシュ構造であることから、通気性が良く、爽快な付け心地を提供することができる。
【考案の効果】
【００２７】
本考案の落下防止用カバーは、固定部材が作業者の手元から離れても、固定部材の自然落下を回避することができ、作業者が安心して作業に集中することができるという効果がある。また、ワンタッチで簡単かつ確実に装着でき、通気性にも優れているという効果がある。
【図面の簡単な説明】
【００２８】
【図１】本考案の実施の形態に係る落下防止用カバーの外観斜視図。
【図２】落下防止用カバーの手元部の部分拡大図。
【図３】落下防止用カバーの使用状態を示す図。
【考案を実施するための形態】
【００２９】
以下、本考案の実施の形態について図面に基づいて説明する。落下防止用カバーは、高速道路、トンネル、電柱といった高所での作業の際に使用でき、また、飲食店などでの照明の取り替え作業などでも使用でき、埃や塵やゴミを床下に散乱させることがないため、衛生的に良く、作業効率の向上も可能となる。また、軽量でコンパクトにたためることから、持ち運びも便利である。
【００３０】
図１は、本考案の実施の形態に係る落下防止用カバー１の外観斜視図である。図２は、落下防止用カバー１の手元部２の部分拡大図である。
【００３１】
落下防止用カバー１は、作業者の腕を挿通可能な手元部２と、作業者の作業空間を確保可能な手先部３と、で構成されている。
【００３２】
手元部２は、内面側に位置し、挿通された作業者の腕を被覆する被覆部２１と、外面側に位置し、作業者の腕を固定する装着部材４が取り付けられた固定部２２と、が重畳して密着している。手元部２は被覆部２１を壁とする略中空円筒状を呈しており、手元部２と手先部３との繋ぎ部５に配置されている補強部材６ａによって略円筒の形状を維持している。
【００３３】
被覆部２１と固定部２２とは耐久性のある非弾性のメッシュ構造の素材又は材質であり、例えば、ポリエステルや樹脂、綿・麻・絹・レーヨン・カシミヤ・モヘアなどの繊維で形成することができる。また、被覆部２１はポリエステルにし、固定部２２は繊維素材にするなど、被覆部２１と固定部２２とで素材又は材質を異ならせることで、被覆部２１は略中空円筒状の壁としての強度を高め、固定部２２は装着中に人肌に触れた時の違和感を低減することができる。さらに、被覆部２１と固定部２２の色彩を異ならせることでデザイン性を高めることができる。
【００３４】
被覆部２１は略円筒形状を呈しており、固定部２２は被覆部２１の円周外側に重畳して取り付けられている。固定部２２は被覆部２１の円周長に対して弧小に形成され、被覆部２１と固定部２２とが密着している重畳領域と、固定部２２が位置せずに被覆部２１が露出している露出領域が形成されている。露出領域を一部に有することにより、装着する際に作業者の腕周りの大きさまで被覆部２１と固定部２２とをベルト４１で絞ることを容易にしている。また、固定部２２は被覆部２１に突出した状態で取り付けられている。
【００３５】
固定部２２の外周面には、被覆部２１の先端近傍に装着部材４が取り付けられている。装着部材４は、円環状のベルト４１と、ベルト４１の一端に設けられ、ベルト４１を挿通する挿通孔が形成されたバックル４２と、を有し、ベルト４１の他端は、挿通孔からの着脱を防止する着脱防止部４３が取り付けられ、ベルト４１がバックル４２に挿通された状態となっている。着脱防止部４３はバックル４２の挿通孔よりも大きく形成され、挿通孔から抜けないようになっている。ベルト４１の片面側はマジックテープ（登録商標）４４で形成されており、かかるテープ４４をベルト４１と当接することで、ベルトの位置決めを固定することができる。
【００３６】
手先部３は、透明又は半透明のビニール等で形成され、両端が開口された袋状を呈している。手先部３の径側面に沿ってチューブ状の補強部材６ｂ，６ｃが離間して配置されており、補強部材６ｂは手先部３の上部側に、補強部材６ｃは手先部３の先端に配置されている。補強部材６ｂと６ｃとの間にはマチ部７が形成されており、マチ部７によって固定部材を落下させることなく確実にキャッチすることができる。
【００３７】
図３は、落下防止用カバー１の使用状態を示す図である。作業現場における高速道路、トンネル、電柱等の壁にボルト、ナット、ビス等の固定部材を着脱する際に、落下防止用カバー１を作業者の腕に装着して使用する。作業者は手元部２の開口端から手を挿入し、所望の位置でベルト４１の長さを調節することにより開口端を絞って、マジックテープ（登録商標）４４で固定する。固定部材を着脱する際に、作業者の指先から誤って固定部材が落下しても、手先部３内で固定部材をキャッチすることができるので、固定部材の自然落下を回避することができる。
【００３８】
落下防止用カバー１に使用される素材は、ポリエステルや樹脂、綿・麻・絹・レーヨン・カシミヤ・モヘアなどの繊維で、鉄等の不燃物は一切使用していないことから、環境に配慮した素材であり、廃棄等の処分も簡単である。
【産業上の利用可能性】
【００３９】
本考案に係る落下防止用カバーは、高所作業で発生するボルト、ナット、ビス等の固定部材の落下防止対策を効果的に実現したものとして有用である。
【符号の説明】
【００４０】
１…落下防止用カバー
２…手元部（２１…被覆部，２２…固定部）
３…手先部
４…装着部材（４１…ベルト，４２…バックル，４３…着脱防止部，４４…マジックテープ）
５…繋ぎ部
６ａ，６ｂ，６ｃ…補強部材
７…マチ部
【図１】
0003214704.tif 000003
【図２】
0003214704.tif 000004
【図３】
0003214704.tif 000005